(57)【要約】【課題】ガス流路に配設されるラッチ式電磁弁の弁体の位置が瞬時に変化することに起因するコンロバーナの火炎の吹き消えといった不具合を抑制する。【解決手段】ラッチ式電磁弁は、開弁状態において閉弁用電流より絶対値が小さい閉弁用中間電流の通電によって、プランジャーを吸引する閉弁用中間吸引力が生じて、スプリングによる付勢力が閉弁用中間吸引力と永久磁石の磁力による吸引力との和と均衡を保って、ラッチ式電磁弁の開度を閉弁状態と開弁状態との間の閉弁時中間開度に維持可能であり、開弁状態のラッチ式電磁弁を閉弁するときに、ラッチ式電磁弁のコイルへの通電を開始してから通電を停止するまでの期間が、所定期間以上となるように制御する。【選択図】図８
2015007494.tif 000002
【特許請求の範囲】
【請求項１】
コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記弁体を閉弁するときに、前記制御部は、前記コイルへの通電を開始してから前記閉弁用中間電流を経て前記閉弁用電流へ至るまでの期間が、所定期間以上となるように通電を制御する、
ことを特徴とするガスコンロ。
【請求項２】
コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記ラッチ式電磁弁を閉弁するときに、前記制御部は、前記コイルへの通電を開始してから前記閉弁用中間電流を経て前記閉弁用電流へ電流値が徐々に変化するように通電を制御する、
ことを特徴とするガスコンロ。
【請求項３】
コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記ラッチ式電磁弁を閉弁するときに、前記制御部は、前記コイルへの通電を開始してから前記閉弁用中間電流を経て前記閉弁用電流へ電流値が段階的に変化するように通電を制御する、
ことを特徴とするガスコンロ。
【請求項４】
請求項１ないし請求項３のいずれかに記載のガスコンロにおいて、
ガス流量制限部を備えたバイパス流路が、前記ラッチ式電磁弁が配設される前記ガス流路に並列に接続され、前記制御部は、前記ラッチ式電磁弁の前記弁体の開閉を制御して前記コンロバーナの火力を、大火力と小火力とに切替えることを特徴とするガスコンロ。
【請求項５】
請求項４に記載のガスコンロにおいて、
前記コンロバーナによって加熱される調理容器の温度を検知する温度検出部を備え、前記調理容器の温度を所定の設定温度に維持すべく、前記制御部は、前記温度検出部の検知温度に基づいて、前記ラッチ式電磁弁の前記弁体の開閉を制御して前記コンロバーナの火力を、大火力と小火力とに切替えることを特徴とするガスコンロ。
【発明の詳細な説明】
【技術分野】
【０００１】
本発明は、ガスコンロに関し、更に詳しくは、コンロバーナを有する加熱部と、前記コンロバーナにガスを供給するためのガス流路と、このガス流路に配設されるラッチ式電磁弁と、このラッチ式電磁弁に対する通電を制御する制御部とを備えるガスコンロに関する。
【背景技術】
【０００２】
このようなガスコンロとして、ガス流路の途中に大火用の流路と小火用の流路とを並列に設けて、大火用の流路に大火力／小火力切替用のラッチ式電磁弁を配設して、大火力／小火力切替用のラッチ式電磁弁が開弁したときに大火力となり、大火力／小火力切替用のラッチ式電磁弁が閉弁したときに小火力となるように構成されたガスコンロが知られている（例えば特許文献１参照）。
【０００３】
特許文献１のガスコンロでは、大火力と小火力とがラッチ式電磁弁の開閉によって切替えられるものであるから、例えば、ガス流路の途中に設けた開口部におけるガス通過量を増減する閉子をステッピングモータなどのモータにより駆動して火力の大小を切替えるように構成した場合に比べて、低コストでガスコンロが構成できるものである。
【０００４】
また、ラッチ式電磁弁は、ラッチ式電磁弁を閉から開、または、開から閉に駆動するときにラッチ式電磁弁駆動用のコイルに通電し、ラッチ式電磁弁を閉から開、または、開から閉に駆動した後は、通電を停止しても開状態、または、閉状態を維持されるものであるから、ガスコンロの消費電力が抑制できる。
【先行技術文献】
【特許文献】
【０００５】
【特許文献１】特開２０１１−０４７５３１号公報
【発明の概要】
【発明が解決しようとする課題】
【０００６】
しかしながら、特許文献１のようなガスコンロでは、ラッチ式電磁弁の応答速度が速いために、ラッチ式電磁弁が開弁した大火力の状態からラッチ式電磁弁が閉弁した小火力の状態に切替える際に、ラッチ式電磁弁に備える弁体の位置が、瞬時に変化し、コンロバーナの火力が大火力から小火力に急変するものであるから、急激なコンロバーナへのガス供給量の減少に対するコンロバーナへの一次空気の供給の追従が遅れることに起因して、コンロバーナへの一次空気の供給量が過多となり、大火力から小火力に急変するときにコンロバーナに形成される炎が吹き消えするおそれがあり、その改善が望まれていた。
【０００７】
本発明は、上記に鑑みてなされたものであり、ガス流路に配設されるラッチ式電磁弁の弁体の位置が瞬時に変化することに起因するコンロバーナの火炎の吹き消えといった不具合を抑制することを目的とする。
【課題を解決するための手段】
【０００８】
（１）本発明のガスコンロは、コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記弁体を閉弁するときに、前記制御部は、前記コイルへの通電を開始してから前記閉弁用中間電流を経て前記閉弁用電流へ至るまでの期間が、所定期間以上となるように通電を制御する。
【０００９】
つまり、ガスコンロに備えるラッチ式電磁弁は、ラッチ式電磁弁の電磁コイルに閉弁用電流より絶対値が小さい閉弁用中間電流を通電することでラッチ式電磁弁の弁体の開度を開弁状態と閉弁状態との間の閉弁時中間開度に維持可能であるように構成する。そして、開弁状態のラッチ式電磁弁の弁体を閉弁するときに、ガスコンロに備える制御部は、コイルへの通電を開始してから前記閉弁用中間電流を経て前記閉弁用電流へ至るまでの期間が、所定期間以上となるように通電を制御する。
【００１０】
このように構成することで、開弁状態のラッチ式電磁弁の弁体を閉弁するときに、弁体が閉弁状態になる前に、所定期間に亘り閉弁状態と開弁状態との間の閉弁時中間開度を経ることになり、弁体の開度は、開弁状態から閉弁状態に急変しないから、コンロバーナへのガス供給量の急激な減少が抑制される。
【００１１】
このように、コンロバーナへのガス供給量の急激な減少が抑制されるから、急激なコンロバーナへのガス供給量の減少に対するコンロバーナへの一次空気の供給の追従が遅れることに起因するコンロバーナへの一次空気の供給量が過多となることによるコンロバーナの火炎の吹き消えが抑制される。
【００１２】
（２）本発明のガスコンロは、コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記ラッチ式電磁弁を閉弁するときに、前記制御部は、前記コイルへの通電を開始してから前記閉弁用中間電流を経て前記閉弁用電流へ電流値が徐々に変化するように通電を制御する。
【００１３】
このように構成することで、開弁状態のラッチ式電磁弁の弁体を閉弁するときに、弁体が閉弁状態になる前に、閉弁状態と開弁状態との間の閉弁時中間開度を経て弁体の開度が徐々に変化して閉弁状態となり、弁体の開度は、開弁状態から閉弁状態に急変しないから、コンロバーナへのガス供給量の急激な減少が抑制される。
【００１４】
このように、コンロバーナへのガス供給量の急激な減少が抑制されるから、急激なコンロバーナへのガス供給量の減少に対するコンロバーナへの一次空気の供給の追従が遅れることに起因するコンロバーナへの一次空気の供給量が過多となることによるコンロバーナの火炎の吹き消えが抑制される。
【００１５】
（３）本発明のガスコンロは、コンロバーナを有する加熱部と、前記コンロバーナにガスを供給するためのガス流路と、このガス流路に配設されるラッチ式電磁弁と、このラッチ式電磁弁に対する通電を制御する制御部と、を備えるガスコンロにおいて、
前記ラッチ式電磁弁は、前記ガス流路の開閉を行う弁体が止着された可動磁性体と、該可動磁性体を、前記弁体が閉弁する方向へ吸引する永久磁石と、前記可動磁性体を、前記弁体が開弁する方向へ付勢する付勢部材と、前記制御部によって通電が制御されると共に、該通電によって発生する磁力で前記可動磁性体を、前記開弁する方向又は前記閉弁する方向へ移動させるコイルと、を備え、
前記弁体が閉弁した閉弁状態で前記コイルに開弁用電流を通電することによって前記可動磁性体が移動して前記弁体が開弁した開弁状態に移行し、前記開弁用電流の通電停止後は、前記付勢部材による付勢力が前記永久磁石の磁力による吸引力を上回ることで前記開弁状態を維持し、該開弁状態で前記コイルに閉弁用電流を通電することによって前記可動磁性体が移動して前記閉弁状態に移行し、前記閉弁用電流の通電停止後は、前記永久磁石の磁力による吸引力が前記付勢部材による付勢力を上回ることで前記閉弁状態を維持するように構成され、
前記開弁状態で前記閉弁用電流より絶対値が小さい閉弁用中間電流を前記コイルに通電することによって、前記可動磁性体を、前記閉弁する方向へ吸引する閉弁用中間吸引力が生じて、前記付勢部材による付勢力が、前記閉弁用中間吸引力と前記永久磁石の磁力による吸引力との和と均衡を保って、前記弁体の開度を前記閉弁状態と前記開弁状態との間の閉弁時中間開度に維持可能であり、
前記開弁状態の前記ラッチ式電磁弁を閉弁するときに、前記制御部は、前記コイルへの通電を開始してから前記閉弁用中間電流を経て前記閉弁用電流へ電流値が段階的に変化するように通電を制御する。
【００１６】
このように構成することで、開弁状態のラッチ式電磁弁の弁体を閉弁するときに、弁体が閉弁状態になる前に、閉弁状態と開弁状態との間の閉弁時中間開度を経て段階的に開度が変化して閉弁状態となり、弁体の開度は、開弁状態から閉弁状態に急変しないから、コンロバーナへのガス供給量の急激な減少が抑制される。
【００１７】
このように、コンロバーナへのガス供給量の急激な減少が抑制されるから、急激なコンロバーナへのガス供給量の減少に対するコンロバーナへの一次空気の供給の追従が遅れることに起因するコンロバーナへの一次空気の供給量が過多となることによるコンロバーナの火炎の吹き消えが抑制される。
【００１８】
（４）請求項４に係るガスコンロは、ガス流量制限部を備えたバイパス流路が、前記ラッチ式電磁弁が配設される前記ガス流路に並列に接続され、前記制御部は、前記ラッチ式電磁弁の前記弁体の開閉を制御して前記コンロバーナの火力を、大火力と小火力とに切替える。
【００１９】
つまり、ガス流量制限部を備えたバイパス流路が、ラッチ式電磁弁が配設されるガス流路にと並列に接続される。そして、ラッチ式電磁弁の弁体の開閉によってコンロバーナの火力が大火力と小火力とに切替えられるように構成するのである。
【００２０】
このように構成すると、コンロバーナの火力を、大火力と小火力とにラッチ式電磁弁の弁体の開閉によって切替えるものであるから、例えば、ガス流路の途中に設けた開口部におけるガス通過量を増減する閉子をステッピングモータなどのモータにより駆動して火力の大小を切替えるように構成した場合に比べて低コストでガスコンロが構成できる。
【００２１】
すなわち、請求項４によれば、コンロバーナの火力を大火力と小火力とに切替えられるガスコンロが低コストで構成でき、請求項１〜請求項３による効果を好適に有らしめるガスコンロとすることができる。
【００２２】
（５）請求項５に係るガスコンロは、前記コンロバーナによって加熱される調理容器の温度を検知する温度検出部を備え、前記調理容器の温度を所定の設定温度に維持すべく、前記制御部は、前記温度検出部の検知温度に基づいて、前記ラッチ式電磁弁の前記弁体の開閉を制御して前記コンロバーナの火力を、大火力と小火力とに切替える。
【００２３】
つまり、コンロバーナによって加熱される調理容器の温度を検知する温度検出部を備える。そして、調理容器の温度を所定の設定温度に維持すべく、温度検出部の検知温度に基づいてラッチ式電磁弁の弁体を開閉してコンロバーナの火力が、大火力と小火力とに切替えられるように構成するのである。
【００２４】
このように構成することで、温度検出部の検知温度に基づいてコンロバーナの火力を、大火力と小火力とに切替えられるようにする場合に、請求項４の構成を好適に用いてラッチ式電磁弁の弁体の開閉によって切替えるように構成することができ、低コストで構成できる。
【００２５】
すなわち、請求項５によれば、温度検出部の検知温度に基づいてコンロバーナの火力を、大火力と小火力とに切替えられるガスコンロが低コストで構成でき、請求項４による効果を好適に有らしめるガスコンロとすることができる。
【発明の効果】
【００２６】
本発明のうち、請求項１ないし請求項３に記載の発明によれば、コンロバーナへのガス供給量の急激な減少が抑制されて、コンロバーナの火力を大火力の状態から小火力の状態に切替えたときにも、コンロバーナの火炎が吹き消えることが抑制されたガスコンロとすることが可能となる。
【００２７】
請求項４に記載の発明によれば、コンロバーナの火力を大火力と小火力とに切替えられるガスコンロが本発明によって好適に低コストで構成できる。
【００２８】
請求項５に記載の発明によれば、温度検出部の検知温度に基づいてコンロバーナの火力を大火力と小火力とに切替えられるガスコンロが本発明によって好適に低コストで構成できる。
【図面の簡単な説明】
【００２９】
【図１】本発明の一実施形態のガスコンロの全体斜視図である。
【図２】同上のガスコンロ用の調理設定部の正面図である。
【図３】同上のガスコンロのコンロバーナおよびグリルバーナへのガス供給の説明図である。
【図４】同上のガスコンロのガス弁ブロックの概略断面図である。
【図５】同上のガスコンロのコンロバーナの断面図である。
【図６】同上のガスコンロのラッチ式電磁弁の開弁状態と閉弁状態を表す概略断面図である。
【図７】同上のラッチ式電磁弁の弁開度とスプリングの付勢力との関係、ラッチ式電磁弁の弁開度とマグネット及びソレノイドへの通電による吸引力との関係を示す図である。
【図８】同上のラッチ式電磁弁のソレノイド（コイル）への印加電圧とラッチ式電磁弁の弁開度との関係を示す図である。
【図９】従来のガスコンロにおけるラッチ式電磁弁のソレノイド（コイル）への印加電圧とラッチ式電磁弁の弁開度との関係を示す図である。
【図１０】本発明において、プランジャー下端部とコア上端部との別の変形例を示す図である。
【発明を実施するための形態】
【００３０】
以下、添付した図面を参照して、本発明の実施形態に係るガスコンロを説明する。本発明の一実施形態のガスコンロとして、コンロ部とグリルとを備えたビルトイン型のガスコンロ１について、添付図面に基づいて説明する。
【００３１】
図１に示すように、ガスコンロ１の天面部を構成するトッププレート１１には複数の加熱部２が設けてある。本実施形態では図１に示すように、向かって左側および右側に加熱部２として高火力のコンロバーナ３１を備えたコンロ部２ａが設けてある。トッププレート１１の上面には各コンロバーナ３１を中心にして五徳２１が設けてあり、前記コンロバーナ３１と五徳２１と、点火装置２３及び点火検知装置２４（図３参照）とで、加熱部２としてのコンロ部２ａが構成される。
【００３２】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００３３】
各コンロ部２ａには、図５に示すように、五徳２１上に載置される調理容器を検知する容器検知手段２５と、調理容器の下面の温度を検知する温度センサ２６とが設けてある。容器検知手段２５は、ガスコンロ１に固定される支持部２５ａと、支持部２５ａに上下方向に移動自在に支持される可動部２５ｂと、可動部２５ｂの上下位置を検知する検知スイッチ２５ｃと、で構成される。可動部２５ｂは、ばね等の付勢手段（図示せず）により上方に付勢され、その上端部は五徳２１よりも上方に突出する。この状態で五徳２１上に調理容器が載置されると、可動部２５ｂの上端部が調理容器の下面によって押し下げられ、可動部２５ｂの下動に伴い検知スイッチ２５ｃにより下動が検知され、制御部（図示せず）に認識される。そして、可動部２５ｂの上端部に上記温度センサ２６が設けられ、調理容器が五徳２１上に載置された時に調理容器の下面に当接して温度を検知し、検知温度は上記制御部に認識される。
【００３４】
また、ガスコンロ１には、図１に示すように、加熱部２としてのグリル２ｂが設けてある。グリル２ｂは、ガスコンロ１の本体内の中央部に形成されるグリル庫と、グリル庫内に設けられる加熱手段としてのグリルバーナ（図示せず）と、点火装置２３及び点火検知装置２４とで構成され、グリル２ｂの前端は、ガスコンロ１の前面部１２に開口していてグリル扉２８によって開閉自在に閉塞される。
【００３５】
点火装置２３は、イグナイタ（図示せず）で発生させる高圧パルスにより、コンロバーナ３１及びグリルバーナの燃料ガスの吐出口に設けられる点火プラグに放電を起こさせて点火するもので、イグナイタは上記制御部により制御される。
【００３６】
点火検知装置２４は、コンロバーナ３１及びグリルバーナに設けられる熱電対からなるもので、点火されると火炎の熱により発生する熱起電力が上記制御部に認識される。
【００３７】
グリル扉２８の両側には、図１に示すように、グリル扉２８とともにガスコンロ１の前面部１２を構成する前面パネルＰ１、Ｐ２が設けてあり、左側の前面パネルＰ１の上側には、左側のコンロバーナ３１を点火／消火するための点消火ボタン１４ａが設けてあり、右側の前面パネルＰ２の上側には、グリルバーナを点火／消火するための点消火ボタン１４ｂ、右側のコンロバーナ３１を点火／消火するための点消火ボタン１４ｃとが設けてある。これら点消火ボタン１４（１４ａ〜１４ｃ）が、加熱部２での加熱の開始／加熱の停止を手動で行うための加熱／停止手動操作部となっている。また前面部１２には、各加熱部２の加熱量を手動で調節するための加熱量手動操作部となる火力調節レバー１５（１５ａ〜１５ｃ）がそれぞれ各点消火ボタン１４ａ〜１４ｃの上に設けてある。
【００３８】
図３は、ガスコンロ１のコンロバーナ３１およびグリルバーナへのガス供給の説明図であり、図４は、ガスコンロ１のガス弁ブロック６の概略断面図である。
【００３９】
ガス弁ブロック６は、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁６３用の弁孔が設けてある。メイン弁６３用の弁孔の下流側は、大火用の流路６１ｃと小火用の流路６１ｄとが並列に設けてあり、大火用の流路６１ｃに大火力／小火力切替用のラッチ式電磁弁ＬＢ１用の弁孔が設けてあり、小火用の流路６１ｄにラッチ式電磁弁ＬＢ２用の弁孔が設けてある。
【００４０】
ラッチ式電磁弁ＬＢ１の弁孔の下流側と、ラッチ式電磁弁ＬＢ２の下流側に位置する小火用オリフィスｏｆ２の下流側で大火用の流路６１ｃと小火用の流路６１ｄとが合流し、さらにその下流側には、火力調節レバー１５と連動する流量制御弁６５用の弁孔が設けてある。
【００４１】
因みに、上述した容器検知手段２５により調理容器が検知されていない時に点消火ボタン１４を操作した場合には、上記制御部によりラッチ式電磁弁ＬＢ１及びラッチ式電磁弁ＬＢ２が閉止されて、加熱を開始しないようにする容器検知制御が行われるもので、五徳２１上に調理容器が載置されていない場合にはコンロバーナ３１に炎が形成されないように構成してある。
【００４２】
また、ガス流路６１には、前記ラッチ式電磁弁ＬＢ１及びラッチ式電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック６を複数器種で共用するために設けられるもので、ガス弁ブロック６を他の機種への応用において使用する時には開口される場合があるが、本実施例においては、バイパス用オリフィスｏｆ１は閉塞体（図示せず）により閉塞されている。
【００４３】
火力調節レバー１５を中火から大火の間の位置に設定しておいたときに、ラッチ式電磁弁ＬＢ１とラッチ式電磁弁ＬＢ２との開・閉の組み合わせに応じて、コンロバーナ３１の火力は下記表１に示されるように、上記制御部により調整制御される。
【００４４】
【表１】
2015007494.tif 000003
なお、ラッチ式電磁弁ＬＢ１、ＬＢ２は、開弁用の極性のパルス電流の通電により開放状態に移行し、その後は通電を停止した後にも開弁状態を維持し、閉弁用の極性（開弁用とは逆極性）の電流の通電により閉弁状態に移行し、その後は通電を停止した後にも閉弁状態を維持する。このとき開弁用の電流のパルス幅は２００〜３００ｍ秒に設定されており、閉弁用の電流のパルス幅は、閉弁を確実に行うために開弁用の電流のパルス幅より長く、０．３秒から０．５秒に設定されており、コンロの火力を種々の状態に維持する場合にも省電力であるから、機器の電源として乾電池が用いられる場合に特に好適に用いられる。
【００４５】
なお、ラッチ式電磁弁ＬＢ１については、後に詳述する。
【００４６】
流量制御弁６５用の弁孔の下流側は、コンロバーナ３１にガスを供給するための導出口に至る。
【００４７】
器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するようになっている。
【００４８】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けてあり、前記点消火ボタン１４を押し操作する毎に、スライダ６６が後位置から前進して前位置に位置したり、前位置から後退して後位置に位置して、前位置と後位置とが切り替わって保持される。
【００４９】
また、スライダ６６の進退に伴って進退するバルブロッド６７が設けてある。バルブロッド６７の先端側はガス流路６１内に挿入され、その先端部は後方すなわち下流側より上流側に向けて、メイン弁６３用の弁孔と安全弁６２用の弁孔とに挿通されている。バルブロッド６７は、スライダ６６が前位置から後位置に切り替わる際、一旦後位置よりも後方の最後位置に後退してから後位置にまで前進するが、この最後位置に移動した時に、安全弁６２用の弁孔を上流側より閉止している安全弁６２の弁体を上流側に移動させて、安全弁６２用の弁孔を開放する。安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００５０】
安全弁６２は、点火検知装置２４により火炎が検知されている場合にのみ上記制御部により開放状態が維持され、火炎が検知されなくなると上記制御部による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００５１】
バルブロッド６７の途中には、メイン弁６３用の弁孔を開閉するメイン弁体が設けてある。そして、スライダ６６が前位置に位置している時にはメイン弁体がメイン弁６３用の弁孔を後方より閉止し、スライダ６６が後位置に位置している時にはメイン弁体がメイン弁６３用の弁孔より後方に位置してメイン弁６３用の弁孔を開放する。
【００５２】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００５３】
点消火ボタン１４又はスライダ６６の位置によりＯＮ／ＯＦＦが切り替わる器具栓スイッチが設けてある。器具栓スイッチは、点消火ボタン１４（又はスライダ６６）が前位置に位置している時にはＯＦＦとなり、後位置（最後位置も含む）に位置している時にＯＮとなる。
【００５４】
コンロバーナ３１、グリルバーナの点火を行うには、点消火ボタン１４を押し操作して、スライダ６６を前位置から後位置に後退させる。スライダ６６とともに後退したバルブロッド６７により、安全弁６２が開放されると共にメイン弁６３が開放され、燃料ガスがコンロバーナ３１、グリルバーナに供給される。また、スライダ６６が後退することにより器具栓スイッチがＯＮとなり、上記制御部への給電がＯＮとなって制御部が動作を開始する。
【００５５】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行う時、操作部の操作と連動して火力が中火力側に移動するようになっていて、点火時には中程度の火力となっている。
【００５６】
全ての点消火ボタン１４のスライダ６６を前位置にすると、メイン弁６３が閉止して消火し、器具栓スイッチＳ１〜Ｓ３がＯＦＦになり、安全弁６２が閉止すると共に電源保持信号の出力が停止して制御部への給電が終了する。
【００５７】
次に、自動調理について説明する。ガスコンロ１の左側の前面パネルの下側には、図２に示すように、コンロ用の調理設定部７が設けてある。なお、ガスコンロ１の右側の前面パネルの右下の左側には、グリル用の調理設定部が設けてあるが細部については詳述しない。また、ガスコンロ１の右側の前面パネルの右下の右側には、マイクロコンピュータからなる上記制御部の電源となる電池が収容される電池ケース１３が設けてある。
【００５８】
コンロ用の調理設定部７は、揚げもの、湯わかし、炊飯の自動調理のメニュー（オートメニュー）を設定するための一組のオートメニュー設定部７１及びオートメニュー表示部７２と、調理時間を設定するためのタイマ入力部７３及びタイマ表示部７４とを備えている。オートメニュー設定部７１として、揚げものスイッチ７１ａと、湯わかしスイッチ７１ｂと、炊飯スイッチ７１ｃと、が設けてある。
【００５９】
揚げものモードは、コンロバーナ３１の点火後、使用者により設定された温度に達するようにコンロバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できると共に、揚げもの表示部７２ａに前記設定が表示されるようになっている。
【００６０】
また、湯わかしモードや炊飯モードは、コンロバーナ３１の点火後、予め設定された燃焼条件で燃焼させ、湯わかしや炊飯の完了が予測される時点で自動的にコンロバーナ３１を消火する自動調理モードである。湯わかしスイッチ７１ｂは、何回押すかで自動消火、５分保温といった、湯わかし後にすぐ消火するか、あるいは一定時間保温するかといった湯わかしを選択して設定できると共に、湯わかし表示部７２ｂに前記設定が表示されるようになっている。また、炊飯スイッチ７１ｃは、何回押すかでごはん、おかゆといった複数種類の炊飯の調理の中から目的とする炊飯の調理が設定できると共に、炊飯表示部７２ｃに前記設定が表示されるようになっている。
【００６１】
揚げものモードを選択して、上記制御部によって揚げものモードが実行される場合を一例として、ラッチ式電磁弁ＬＢ１について詳しく説明する。なお、ラッチ式電磁弁ＬＢ２の構成等はラッチ式電磁弁ＬＢ１と同様であるので本書においてラッチ式電磁弁ＬＢ２に関しては詳細な説明を省略する。
【００６２】
揚げものスイッチ７１ａを押し操作し、揚げものモードを選択してコンロバーナ３１に点火すると制御部によって揚げものモードが実行され、制御部は、温度センサ２６により検出される調理容器の温度を設定された温度（２００℃、１８０℃、１６０℃の何れか。）に維持すべく、ラッチ式電磁弁ＬＢ１を開閉し、コンロバーナ３１の火力が大火力と小火力とに切替えられる。
【００６３】
詳述すると、温度センサ２６により検出される調理容器の温度が設定された温度より大きいときはラッチ式電磁弁ＬＢ１を閉弁して、図３、図４に示す小火用オリフィスｏｆ２を備えた小火用流路６１ｄのみからコンロバーナ３１にガスが供給されて、コンロバーナ３１の火力が小火力になり、また、温度センサ２６により検出される調理容器の温度が設定された温度より小さいときはラッチ式電磁弁ＬＢ１を開弁して、図３、図４に示すバイパス小火用オリフィスｏｆ２を備えた小火用流路６１ｄとラッチ式電磁弁ＬＢ１の両方の流路からコンロバーナ３１にガスが供給されて、コンロバーナ３１の火力が大火力になる。
【００６４】
次に本発明の特徴として、以下、ラッチ式電磁弁ＬＢ１、および、上記制御部によるラッチ式電磁弁ＬＢ１の駆動について図６〜図８を参照して説明する。
【００６５】
図６は、ラッチ式電磁弁ＬＢ１の閉弁状態を中心線(一点鎖線)の右側に示し、また、ラッチ式電磁弁ＬＢ１の開弁状態を中心線(一点鎖線)の左側に示している。コア５９、可動磁性体としてのプランジャー５２ａ、永久磁石５５、及びヨーク５６によって磁気回路を構成する。
【００６６】
ソレノイド（コイル）５３の中心部をコア５９、及びプランジャー５２ａ、が貫通する形態で配置され、ヨーク５６がソレノイド（コイル）５３の外周側に配置される。
【００６７】
ソレノイド（コイル）５３に通電されない状態では、永久磁石５５による起磁力によって、図６においてプランジャー５２ａが上方向に向けて吸引される方向に、磁気回路に永久磁石５５による磁束が生じる。
【００６８】
ソレノイド（コイル）５３への通電によって、磁気回路に磁束が生じ、ソレノイド（コイル）５３への正方向の通電によって、永久磁石５５による磁束と逆の極性の磁束が生じる。
【００６９】
ソレノイド（コイル）５３への逆方向の通電によって、永久磁石５５による磁束と同じ極性の磁束が生じる。
【００７０】
プランジャー５２ａは、可動磁性体の一例として、その上端部に、非磁性体の接続軸５２ｂが止着され、非磁性体の接続軸５２ｂの上端には、弁体部５１が止着される。つまり、プランジャー５２ａの上端側には、非磁性体の接続軸５２ｂを介して弁体部５１が止着されている。ラッチ式電磁弁ＬＢ１が具備するスプリング５４は、付勢部材の一例として、永久磁石５５とプランジャー５２ａとの間に挿入されており、プランジャー５２ａに止着された弁体部５１を開弁する方向（下方向）に付勢する。
【００７１】
図６の右側に示す閉弁状態においては、ラッチ式電磁弁ＬＢ１が具備するプランジャー５２ａは、永久磁石５５による磁束によって永久磁石５５の位置する上方に向けて吸引されて、永久磁石５５による吸引力がスプリング５４による付勢力（弁体部５１を開弁する方向の付勢力）より大きく、閉弁状態が維持されガスが遮断されている。なお、閉弁状態における弁体部５１と弁座５０との当接を確実にするために、図６に示すように、閉弁状態において永久磁石５５とプランジャー５２ａとは当接しないように構成している。
【００７２】
また、図６の左側に示す開弁状態においては、ソレノイド（コイル）５３に通電されない状態で、スプリング５４による付勢力（弁体部５１を開弁する方向への付勢力）が永久磁石５５による吸引力より大きく、開弁状態が維持されてガスが通流可能になっている。
【００７３】
ラッチ式電磁弁ＬＢ１の閉弁状態において、上記制御部によってソレノイド（コイル）５３に正方向の開弁用電流が通電されると、永久磁石５５による磁束と逆の極性の磁束が生じて、永久磁石５５による磁束とソレノイド（コイル）５３への開弁用電流の通電による磁束との和の磁束によりプランジャー５２ａが上方向に吸引される吸引力よりもスプリング５４による付勢力が大きくなり、プランジャー５２ａが下方向に移動して、ラッチ式電磁弁ＬＢ１は開弁状態に至る。
【００７４】
ラッチ式電磁弁ＬＢ１の開弁状態において、上記制御部からソレノイド（コイル）５３に正方向の開弁用電流とは逆方向の閉弁用電流Ｉ６が通電されると、永久磁石５５による磁束と同じ極性の磁束が生じて、永久磁石５５による磁束とソレノイド（コイル）５３への閉弁用電流の通電による磁束との和の磁束によりプランジャー５２ａが上方向に吸引される吸引力が、スプリング５４による付勢力より大きくなり、プランジャーが上方向に移動して、ラッチ式電磁弁ＬＢ１は閉弁状態に至る。
【００７５】
本実施形態では、制御部は、開弁状態にあるラッチ式電磁弁ＬＢ１を上述の閉弁状態へと駆動する際に、次のようにソレノイド（コイル）５３への駆動用電流の通電を制御する。なお、制御部が駆動用電流の通電を制御する場合、定電流回路等を用いた電流源による駆動のみではなく、定電圧回路等を用いた電圧源による駆動を行ってもよい。
【００７６】
ラッチ式電磁弁ＬＢ１は、ラッチ式電磁弁ＬＢ１に閉弁用電流Ｉ６より小さい閉弁用中間電流を通電することでラッチ式電磁弁ＬＢ１の開度を、上記閉弁状態と上記開弁状態との間の閉弁時中間開度に維持可能であり、この点について説明する。
【００７７】
図７は、本実施形態におけるラッチ式電磁弁ＬＢ１の弁開度(横軸方向)と、スプリング５４による付勢力Ｓ(縦軸方向)、及び、ラッチ式電磁弁ＬＢ１への通電及び永久磁石５５の起磁力により生じる磁束の和による吸引力ｆ１〜ｆ６(縦軸方向)との関係を示す。
【００７８】
図７に示すように、スプリング５４による付勢力Ｓは、プランジャー５２ａの移動距離（ストローク）に応じて、弁体部５１の開度の変化に対し直線的に変化する。
【００７９】
また、制御部が制御する駆動用電流のソレノイド（コイル）５３への通電電流Ｉ２〜Ｉ６及び永久磁石５５の起磁力により生じる磁束の和によって生じるプランジャー５２ａと永久磁石５５との間に生じる吸引力ｆ２〜ｆ６は、磁気回路に存在する夫々のギャップの長さに対し概ね反比例的（反比例的とは単純な反比例ではなく実際には各々のギャップのべき乗の反比例を含む複雑な関数に示される特性を示す。）に変化するため、ラッチ式電磁弁ＬＢ１が開弁状態から閉弁状態に近づくほどプランジャー５２ａは永久磁石５５に近づき、ギャップの長さは短くなるからその特性は、図７に示すような下に凸となる曲線となる。
【００８０】
なお、図６に示すように、プランジャー５２ａがコア５９と離間した状態では、プランジャー５２ａとコア５９との間のギャップの長さが変化しにくいように、プランジャー５２ａとコア５９とが第二の離間距離５８ｂを保つように、プランジャー５２ａの下端側から突出した突出端部５２ａ１が、コア５９の上端側に形成した凹部５９ａに入り込むように構成してある。
【００８１】
なお、図６の中心線(一点鎖線)の左側の開弁状態において、プランジャー５２ａの突出端部５２ａ１の周りの環状の受け面５２ａ２が、コア５９の凹部５９ａの周壁５９ｂの上端部に直接接触するのを避けるため、この接触界面に非磁性体のスペーサを介在させてもよい。
【００８２】
また、弁体部５１とプランジャー５２ａとの間に位置する接続軸５２ｂは、非磁性体により構成されるものであるから、プランジャー５２ａは永久磁石５５に近づくほどプランジャー５２ａと永久磁石５５との間のギャップの長さが短くなり、永久磁石５５の起磁力による磁束によってプランジャー５２ａが確実に吸引される。つまり、プランジャー５２ａは永久磁石５５に近づくほどプランジャー５２ａと永久磁石５５との間のギャップにおける磁気的な位置エネルギが確実に減少するように構成してある。
【００８３】
なお、接続軸５２ｂを磁性体にて構成した場合には、接続軸５２ｂと永久磁石５５との間の距離（第一の離間距離５８ａ）が、プランジャー５２ａの位置によらず一定に保つことで、プランジャー５２ａは永久磁石５５に近づくほどプランジャー５２ａと永久磁石５５との間のギャップにおける磁気的な位置エネルギが確実に減少するように構成できるものであるが、接続軸５２ｂと永久磁石との間の前記第一の離間距離５８ａは、プランジャー５２ａの中心軸が左右にずれることで変動しやすいものであり、接続軸５２ｂと永久磁石との間の前記第一の離間距離５８ａを、プランジャー５２ａの位置によらず一定に保つことは困難であることから、本実施形態では、接続軸５２ｂは非磁性体にて構成してある。
【００８４】
図７を参照して、ソレノイド（コイル）５３には通電せず、永久磁石５５の起磁力のみによってプランジャー５２ａと永久磁石５５との間に吸引力ｆ１が生じ、ソレノイド（コイル）５３に通電する電流Ｉ２〜Ｉ６に対応して、プランジャー５２ａと永久磁石５５との間に吸引力ｆ２〜ｆ６が生じるものとすると、スプリング５４による付勢力Ｓによってプランジャー５２ａは、下方向に付勢され、電流Ｉｉ（ｉ＝２、３・・・・・）の通電或いは永久磁石５５の起磁力によって生じる吸引力ｆｉ（ｉ＝１、２、３・・・・・）によってプランジャー５２ａは、上方向に吸引されるので、
ｆｉ＞Ｓ
の時には、弁体部５１が弁座５０に近づく方向、つまり、弁体部５１が上方向（閉弁方向）に移動し、弁体部５１が弁座５０に当接すると、弁体部５１が弁座５０に当接した状態で閉じ付勢されてガスが遮断されることになり、
ｆｉ＜Ｓ
の時には、プランジャー５２ａは、弁体部５１が弁座５０から遠ざかる方向、つまり、下方向（開弁方向）に移動することになる。
【００８５】
そして、スプリング５４による付勢力Ｓと、電流Ｉｉ（ｉ＝２、３・・・・・）の通電或いは永久磁石５５に起磁力によって生じる吸引力ｆｉ（ｉ＝１、２、３・・・・・）とが等しい状態、つまり、
ｆｉ＝Ｓ
の時には、プランジャー５２ａは、弁体部５１が弁座５０から遠ざかる方向、及び、弁体部５１が弁座５０に近づく方向の何れにも移動せず、弁体部５１と弁座５０との距離は、ラッチ式電磁弁ＬＢ１の閉弁状態における弁体部５１と弁座５０との距離、及び、ラッチ式電磁弁ＬＢ１の開弁状態における弁体部５１と弁座５０との距離の間の距離に維持されることになる。
【００８６】
言い換えると、ラッチ式電磁弁ＬＢ１は、ラッチ式電磁弁ＬＢ１に閉弁用電流より小さい閉弁用中間電流を通電することでラッチ式電磁弁ＬＢ１の開度を上記閉弁状態と上記開弁状態との間の閉弁時中間開度に維持可能である。
【００８７】
そして、本実施形態では、開弁状態のラッチ式電磁弁ＬＢ１を閉弁するときに、制御部は、ソレノイド（コイル）５３に通電を開始してから前記閉弁用中間電流を経て閉弁用電流に至るまでの期間を、所定期間以上としている。
【００８８】
この所定期間は、従来の通電開始から閉弁用電流の通電期間（パルス幅）以上であればよく、例えば、０．３秒以上、好ましくは、０．４秒以上、更に好ましくは、０．５秒以上である。
【００８９】
また、この通電期間は、省エネルギの観点からは短いことが好ましく、例えば、２秒以内、好ましくは、１．５秒以内、更に好ましくは、１秒以内である。
【００９０】
この実施形態では、制御部は、通電を開始してから前記閉弁用中間電流を経て閉弁用電流へ電流値が、徐々にその絶対値が増加するように制御している。
以下この点について説明する。
【００９１】
図７を参照して、全開状態におけるラッチ式電磁弁ＬＢ１は、永久磁石５５の起磁力によって生じる吸引力ｆ１がスプリング５４による付勢力Ｓより小さいため、プランジャー５２ａは移動せず全開状態を維持する。
【００９２】
しかし、ラッチ式電磁弁ＬＢ１の全開状態において、制御部によってソレノイド（コイル）５３に開弁用電流とは逆方向の閉弁用中間電流Ｉ２を通電すると、この通電及び永久磁石５５の起磁力による吸引力ｆ２によって、ｆ２＞Ｓとなって、ラッチ式電磁弁ＬＢ１は、プランジャー５２ａが上方向に移動可能となり、プランジャー５２ａが少し上方向に移動した図７におけるＰ１に対応する位置（中間位置）においてｆ２＝Ｓとなってそのときの弁開度（閉弁時中間開度）が維持可能である。
【００９３】
そして、Ｐ１に対応する位置（中間位置）における弁開度（閉弁時中間開度）にあるラッチ式電磁弁ＬＢ１に通電される前記逆方向の閉弁用中間電流を前記Ｉ２からさらにＩ３にまで増加させると、制御部による通電電流Ｉ３のソレノイド（コイル）５３への通電及び永久磁石５５の起磁力による吸引力ｆ３によって、ｆ３＞Ｓとなって、ラッチ式電磁弁ＬＢ１は、プランジャー５２ａがさらに上方向に移動可能となり、プランジャー５２ａがさらに上方向に移動した図７におけるＰ２に対応する位置（中間位置）においてｆ３＝Ｓとなってそのときの弁開度（閉弁時中間開度）が維持可能である。
【００９４】
そして、Ｐ２に対応する位置（中間位置）における弁開度（閉弁時中間開度）にあるラッチ式電磁弁ＬＢ１のソレノイド（コイル）５３に通電される前記逆方向の閉弁用中間電流を前記Ｉ３からさらにＩ４にまで増加させると、電流Ｉ４のソレノイド（コイル）５３への通電及び永久磁石５５の起磁力による吸引力ｆ４によって、ｆ４＞Ｓとなって、ラッチ式電磁弁ＬＢ１は、プランジャー５２ａがさらに上方向に移動可能となり、プランジャー５２ａがさらに上方向に移動した図７におけるＰ３に対応する位置（中間位置）においてｆ４＝Ｓとなってそのときの弁開度（閉弁時中間開度）が維持可能である。
【００９５】
そして、Ｐ３に対応する位置（中間位置）における弁開度（閉弁時中間開度）にあるラッチ式電磁弁ＬＢ１に通電される前記逆方向の閉弁用中間電流を前記Ｉ４からさらにＩ５にまで増加させると、電流Ｉ５のソレノイド（コイル）５３への通電及び永久磁石５５の起磁力による吸引力ｆ５によって、ｆ５＞Ｓとなって、ラッチ式電磁弁ＬＢ１は、プランジャー５２ａがさらに上方向に移動可能となり、プランジャー５２ａがさらに上方向に移動した図７におけるＰ４に対応する位置（中間位置）においてｆ５＝Ｓとなってそのときの弁開度（閉弁時中間開度）が維持可能である。
【００９６】
上述のように、ラッチ式電磁弁ＬＢ１は、ラッチ式電磁弁ＬＢ１にｆｉ（ｉ＝２、３・・・・・）＝Ｓとなる閉弁用中間電流Ｉｉ（ｉ＝２、３・・・・・）を通電することでラッチ式電磁弁ＬＢ１の開度を閉弁状態と開弁状態との間の閉弁時中間開度に維持可能であるが、ｆｉ（ｉ＝２、３・・・・・）＝Ｓである場合に、ラッチ式電磁弁ＬＢ１が安定的に閉弁時中間開度を維持可能な場合と、ラッチ式電磁弁ＬＢ１が安定的には閉弁時中間開度を維持できない場合があることに注意を要し、上述のＰ１、Ｐ２、Ｐ３、Ｐ４はいずれもラッチ式電磁弁ＬＢ１が安定的に閉弁時中間開度を維持可能な場合に対応するｆｉ（ｉ＝２、３・・・・・）＝Ｓとなる位置を示す。
【００９７】
詳しく説明すると、制御部による閉弁用中間電流Ｉ５のソレノイド（コイル）５３への通電及び永久磁石５５の起磁力による吸引力ｆ５によって、プランジャー５２ａが図７におけるＰ４に対応する位置に移動したときには、ｆ５＝Ｓであり、しかも、図７におけるＰ４においては、外乱等により、プランジャー５２ａが少し上方向に移動したときにはｆ５＜Ｓとなることでプランジャー５２ａが逆方向の下方向に移動することになり、ラッチ式電磁弁ＬＢ１はＰ４に対応する位置に戻ることになって、ラッチ式電磁弁ＬＢ１は安定的に閉弁時中間開度を維持できる。
【００９８】
これに対し、制御部による閉弁用中間電流Ｉ５のソレノイド（コイル）５３への通電及び永久磁石５５の起磁力による吸引力ｆ５によって、もし、プランジャー５２ａが図７におけるＰ５に対応する位置まで移動したときには、ｆ５＝Ｓであっても、そのときの弁開度を安定して維持できない。なぜならば、図７におけるＰ５においては、外乱等により、プランジャー５２ａが少しでも上方向に移動したときにはｆ５＞Ｓとなることでプランジャー５２ａがさらに上方向に移動することになりラッチ式電磁弁ＬＢ１は全閉状態に至ることになる。
【００９９】
つまり、制御部による閉弁用中間電流Ｉ５のソレノイド（コイル）５３への通電及び永久磁石５５の起磁力による吸引力ｆ５によって、プランジャー５２ａが図７におけるＰ４に対応する位置に位置する場合、すなわち、プランジャー５２ａをラッチ式電磁弁ＬＢ１の全閉状態の方向に微小距離移動させたときに、駆動用電流のソレノイド（コイル）５３への通電及び永久磁石５５の起磁力により生じる吸引力の増加分に比べてスプリング５４による付勢力Ｓの増加分が大きい場合には、プランジャー５２ａはその位置に留まり、そのときの弁開度（閉弁時中間開度）が維持可能であるが、プランジャー５２ａが図７におけるＰ５に対応する位置に位置する場合、すなわち、プランジャー５２ａをラッチ式電磁弁ＬＢ１の全閉状態の方向に微小距離移動させたときに、駆動用電流のソレノイド（コイル）５３への通電及び永久磁石５５の起磁力により生じる吸引力の増加分に比べてスプリング５４による付勢力Ｓの増加分が小さい場合には、プランジャー５２ａはその位置に留まることができず、そのときの弁開度が維持できない。
【０１００】
言い換えると、本実施形態におけるラッチ式電磁弁ＬＢ１は、ソレノイド（コイル）５３への通電及び永久磁石５５の起磁力による吸引力がスプリング５４による付勢力Ｓと等しくなる全閉状態と全開状態との間の閉弁時中間開度となる弁開度において、弁体部５１と連動するプランジャー５２ａをラッチ式電磁弁ＬＢ１の全閉状態の方向に微小距離移動させたときに、駆動用電流のソレノイド（コイル）５３への通電及び永久磁石５５の起磁力により生じる吸引力の増加分に比べて、スプリング５４による付勢力Ｓの増加分が大きくなるような開弁用電流より小さい電流つまり閉弁用中間電流が存在することになる。
【０１０１】
本実施形態のラッチ式電磁弁ＬＢ１では、上述のように、閉弁用中間電流として、Ｉ２、及び、Ｉ２より大きいＩ３、及び、Ｉ３より大きいＩ４、及び、Ｉ４より大きいＩ５の閉弁用中間電流が存在し、開弁状態のラッチ式電磁弁ＬＢ１を閉弁するときに、制御部は、ソレノイド（コイル）５３への通電電流をＩ２、Ｉ３、Ｉ４、Ｉ５を経由して徐々に増加させ、その後に吸引力ｆ６を発生させる閉弁用中間電流流Ｉ６を通電して、徐々に閉弁するように構成してある。
【０１０２】
このときのソレノイド（コイル）５３への通電電流と対応するソレノイド（コイル）５３への供給電圧と、プランジャー５２ａの位置とラッチ式電磁弁ＬＢ１の弁開度と、ラッチ式電磁弁ＬＢ１を通過するガスの流量と、の関係は、例えば、図８のようになる。
【０１０３】
図８において、コイル供給電圧が３Ｖでは、ラッチ式電磁弁ＬＢ１のソレノイド（コイル）５３に開弁用電流が通電され、ラッチ式電磁弁ＬＢ１が開弁状態となり、コイル供給電圧が０Ｖでは、ラッチ式電磁弁ＬＢ１のソレノイド（コイル）５３に通電されず、コイル供給電圧が−３Ｖでは、ラッチ式電磁弁ＬＢ１のソレノイド（コイル）５３に閉弁用電流が通電され、ラッチ式電磁弁ＬＢ１が閉弁状態となる。
【０１０４】
そして、コイル供給電圧が、０Ｖより小さく、−３Ｖより大きい範囲で、ラッチ式電磁弁ＬＢ１のソレノイド（コイル）５３に前記閉弁用電流より小さい閉弁用中間電流Ｉ２〜Ｉ６が通電され、前記説明したように、ラッチ式電磁弁ＬＢ１の開度は、上記閉弁状態と上記開弁状態との間の閉弁時中間開度に維持される。
【０１０５】
図８において、プランジャー位置において、「上」はラッチ式電磁弁ＬＢ１が閉弁状態であり、「下」はラッチ式電磁弁ＬＢ１が開弁状態にある。また、弁開度において「全開」はラッチ式電磁弁が全開していることであり、「全閉」は、ラッチ式電磁弁ＬＢ１が全閉していることである。ガス流量において、「最大」はガス流量が最大であり、「０」はガス流量が最小であることを示す。
【０１０６】
図８において、コイル供給電圧が０Ｖとされラッチ式電磁弁ＬＢ１が開弁状態に維持されている状態から、コイル供給電圧が０Ｖより漸次にマイナスに小さくなっていくことで、閉弁用中間電流の絶対値が徐々に増大して、プランジャー５２ａの位置が上方向に徐々に移動し、これに伴いラッチ式電磁弁ＬＢ１の開度が全開から全閉方向へ徐々に閉じていき、コンロバーナ３１へのガス供給量の徐々に減少方向に抑制されていく。
【０１０７】
上述のような構成によって、コンロバーナ３１へのガス供給量の急激な減少が抑制されて、急激なコンロバーナ３１へのガス供給量の減少に対するコンロバーナ３１への一次空気の供給の追従が遅れることに起因してコンロバーナ３１への一次空気の供給量が過多となることによるコンロバーナ３１の火炎の吹き消えが抑制されたガスコンロ１となっている。
【０１０８】
これに対し、駆動用のコイルに閉弁用電圧をステップ状に印加して開弁する従来のラッチ式電磁弁では、図９に示すように、閉弁用電圧の印加によってその弁開度が全開状態から全閉状態にステップ状に瞬時に変化するものであり、コンロバーナへのガス供給量が急激に増大する。
〔別実施形態〕
（１）上述の実施形態では、ソレノイド（コイル）５３への通電電流およびこの通電電流と対応するソレノイド（コイル）５３への供給電圧の絶対値を、時間の経過と共に増加する所謂ランプ入力としたが、ソレノイド（コイル）５３への通電電流およびこの通電電流と対応するソレノイド（コイル）５３への供給電圧の絶対値が時間の経過と共に複数段に段階的に増加するように構成してもよい。
【０１０９】
（２）上述の実施形態では、ガスコンロ１を、グリルを備えたビルトイン型のガスコンロ１として説明したが、ガスコンロ１は、コンロ台などに載置して設置される据え置き型のテーブルコンロであってもよい。またグリルは備えなくてもよい。
【０１１０】
（３）上述の実施形態では、ラッチ式電磁弁ＬＢ１及びラッチ式電磁弁ＬＢ２を閉止することで、コンロバーナへのガスの供給を遮断するように構成されていたが、ラッチ式電磁弁ＬＢ２は備えず、ラッチ式電磁弁ＬＢ１の開閉によって、ガス量の大小のみを切替えるように構成してもよい。
【０１１１】
(４)上述の実施形態では、ソレノイド（コイル）５３の中心部をコア５９、及びプランジャー５２ａが貫通する形態で配置され、ヨーク５６がソレノイド（コイル）５３の外周側に配置されているが、コア５９を省略し、その代わりに、ヨーク５６をコア５９の所にまで延設し、ソレノイド（コイル）５３の中心部をヨーク５６、及びヨーク５６の前記延設部分が貫通する形態で配置させてもよい。
【０１１２】
（５）上述の実施形態では、プランジャー５２ａとコア５９とが第二の離間距離５８ｂを保つように、プランジャー５２ａの下端側の突出端部５２ａ１がコア５９に形成した凹部５９ａに入り込む構成としたが、図１０に示すように、プランジャー５２ａの下端５２ａ２と、コア５９の上端５９ｃとを共に平坦とし、コア５９の上端５９ｃに、例えば、環状の非磁性体のスペーサ７０を設ける構成としてもよい。
【０１１３】
図１０の構成では、ラッチ式電磁弁ＬＢ１の図１０の中心線(一点鎖線)の左側に示す開弁状態において、プランジャー５２ａとコア５９とは非磁性体のスペーサ７０を介在させて離間している。これにより、ラッチ式電磁弁ＬＢ１の開弁状態において、プランジャー５２ａとコア５９との間のギャップは、非磁性体のスペーサ７０による離間距離で離間しているので、前記ギャップの磁気抵抗は大きい。
【０１１４】
そのため、ラッチ式電磁弁ＬＢ１の図１０の中心線(一点鎖線)の左側に示す開弁状態から中心線(一点鎖線)の右側に示す閉弁状態への移行において、プランジャー５２ａとコア５９との間の磁気抵抗の急激な増加が無くなり、徐々にラッチ式電磁弁ＬＢ１を開弁状態から閉弁状態へ移行することができる。
【０１１５】
なお、スペーサ７０の形状は、環状に限らず、任意であり、円柱状などであってもよい。
【符号の説明】
【０１１６】
１        ガスコンロ
２４      点火検知装置
２５      容器検知手段
２６      温度センサ
５０      弁座
５１      弁体部
５２ａ    プランジャー
５２ｂ    接続軸（非磁性体）
５３      ソレノイド（コイル）
５４      スプリング
５５      永久磁石
５６      ヨーク
５８ａ    第一の離間距離
５８ｂ    第二の離間距離
５９      コア
ＬＢ１    ラッチ式電磁弁
ＬＢ２    ラッチ式電磁弁
Ｓ        スプリングによる付勢力
【図１】
2015007494.tif 000004
【図２】
2015007494.tif 000005
【図３】
2015007494.tif 000006
【図４】
2015007494.tif 000007
【図５】
2015007494.tif 000008
【図６】
2015007494.tif 000009
【図７】
2015007494.tif 000010
【図８】
2015007494.tif 000011
【図９】
2015007494.tif 000012
【図１０】
2015007494.tif 000013